(57)【要約】【課題】製品の成形サイクルが早く、しかも金型の損傷を可及的に防止するようにした射出成形装置の金型装置を提供する。【解決手段】固定側型板と板固定側取付け板と可動側型板とを、固定側型板を中心に前記板固定側取付け板と前記可動側型板のうちいずれか一方を移動させると、他方が反対方向へ連動して移動するリンク手段を介して連結した。【選択図】  図１
2004174840.tif 000002
【特許請求の範囲】
【請求項１】
型締、型開の際に、固定側型板に対して互いに反対方向へ移動する固定側取付け板および可動側型板を有する射出成形装置の金型装置において、
前記固定側型板と前記板固定側取付け板と前記可動側型板とを、前記固定側型板を中心に前記板固定側取付け板と前記可動側型板のうちいずれか一方を移動させると、他方が反対方向へ連動して移動するリンク手段を介して連結したことを特徴とする射出成形装置の金型装置。
【請求項２】
前記リンク手段は、前記固定側型板の側方に軸を中心に回動自在に支承されたた第１アームと、前記板固定側取付け板の側方に軸を中心に回動自在に支承された第２アームと、前記可動側型板の側方に軸を中心に回動自在に支承された第３アームとからなり、前記第１アームの後端と前記第２アームの先端とが軸を介して互いに回動自在に連結され、また前記第１アームの先端と前記第３アームの後端とが軸を介して互いに回動自在に連結されていることを特徴とする請求項１に記載の射出成形装置の金型装置。
【発明の詳細な説明】
【０００１】
【発明の属する技術分野】
この発明は、溶融したプラスチック等の合成樹脂を閉じ込められた金型内に射出し、その後、冷却固化した成形品を金型を開いて取りだし、目的物たる成形品を得るようにした射出成形装置に関し、特にその金型装置の改良に関する。
【０００２】
【従来の技術】
一般に、プラスチック等の合成樹脂から比較的精密な成形品を得るための装置して射出成形装置が提供されている。
【０００３】
そして、この射出成形装置を構成する金型装置は、通常、キャビティーが形成された固定側型板と、この固定側型板に対して互いに反対方向へ移動する固定側取付け板および可動側型板とから構成されている。
【０００４】
なお、固定側取付け板には溶融樹脂を供給するランナー等が形成され、また可動側型板にはコア等が形成されている。
【０００５】
そして、金型の型締め際は、固定側型板に対して固定側取付け板および可動側型板をそれぞれ別個の油圧アクチュエータ等を使用して互いに反対方向から固定側型板に密着させ、また型開の際は、固定側型板に対して固定側取付け板および可動側型板をそれぞれ別個の油圧アクチュエータ等を使用して互いに反対方向へ離間させるようにしている。
【０００６】
【発明が解決しようとする課題】
ところで、上述した射出成形製品の成形サイクルを早めるためには、金型の型締、型開の時間を短くすることが必要であるが、その際、上述した従来の金型装置では、型締、型開の所用時間を短くすべく、固定側型板に対する固定側取付け板および可動側型板の移動スピードを早くすると、上述した各金型は重量があるので、慣性力により特に型締の際、固定側取付け板および可動側型板の移動のタイミングミスにより固定側型板に対して固定側取付け板および可動側型板が勢いよく衝突し、これにより金型が損傷を受ける虞がある。
【０００７】
また従来の金型装置では、固定側取付け板および可動側型板をそれぞれ別個の油圧アクチュエータ等の移動手段を使用して互いに反対方向へ移動させるから、駆動装置の部品点数も多くまたその制御も複雑とならざるを得ない難点がある。
【０００８】
この発明は上述した事情に鑑み、構造が簡単で、製品の成形サイクルが早く、しかも金型の損傷を可及的に防止するようにした射出成形装置の金型装置を提供することを目的とする。
【０００９】
【課題を解決するための手段】
上述した課題を解決するため、この発明では、型締、型開きの際に、固定側型板に対して互いに反対方向へ移動させる固定側取付け板および可動側型板とを有する射出成形装置の金型装置において、前記固定側型板と前記板固定側取付け板と前記可動側型板とを、前記固定側型板を中心に前記板固定側取付け板と前記可動側型板のうちいずれか一方を移動させると、他方が反対方向へ連動して移動するリンク手段を介して連結するようにしている。
【００１０】
【発明の実施の形態】
以下、この発明に係わる射出成形装置の金型装置の一実施例を詳述する。
【００１１】
図１はこの発明に係わる射出成形装置の金型装置１の概念側面図である。
【００１２】
この射出成形装置の金型装置１も従来と同様に、キャビティーが形成された固定側型板２に対して、互いに反対方向へ移動する固定側取付け板３および可動側型板４が配設されている。
【００１３】
なお、上述した固定側取付け板３および可動側型板４は図示せぬガイド棒、ガイドレール等のガイド手段を介し、固定側型板２へ向けスライド自在に支承されていることは言うまでもない。
【００１４】
一方、この各固定側型板２、板固定側取付け板３、および可動側型板４は、固定側型板２を中心に前記板固定側取付け板３と前記可動側型板４のうちいずれか一方を移動させると、他方が反対方向へ向け連動して移動するリンク手段５を介して連結されている。
【００１５】
なお、このリンク手段５は固定側型板２、板固定側取付け板３、および可動側型板４の一側面あるいは両側面に配設される。
【００１６】
上述したリンク手段５は、前記固定側型板２の側方に軸１０を中心に回動自在に支承されたた第１アーム１１と、固定側取付け板３の側方に軸１２を中心に回動自在に支承された第２アーム１３と、可動側型板４の側方に軸１４を中心に回動自在に支承された第３アーム１５とから構成されている。
【００１７】
このうち、第１アーム１１の後端１１ａと第２アーム１３の先端１３ａとは軸１６を介して互いに回動自在に連結され、また第１アーム１１の先端１１ｂと第３アーム１５の後端１５ａとは軸１７を介して互いに回動自在に連結されている。
【００１８】
なお、これらの各軸１０、１２、１４、１６、１７には、それぞれ図示せぬ転がり軸受が配設され、その動きは極めてスムーズなものとなっている。
【００１９】
次に上述した金型装置１のを説明する。
【００２０】
図１に示す金型装置１の型締の位置から、型開きする際に板固定側取付け板３あるいは可動側型板４のいずれか一方を図示せぬ油圧アクチュエータ等の駆動手段により、固定側型板２から離間させると、その一方の離間速度および離間タイミングに対応して、図２に示すように、リンク手段５を介し他方の板固定側取付け板３あるいは可動側型板４が固定側型板２から離間することとなる。
【００２１】
従って、金型装置１全体の型開きのスピードおよびタイミングは板固定側取付け板３あるいは可動側型板４のいずれか一方を駆動する油圧アクチュエータ等の駆動手段を制御することにより簡単に制御することができる。
【００２２】
一方、図２に示す金型装置１の型開の位置から、型締を行う場は、型開きの場合と同様に、板固定側取付け板３あるいは可動側型板４のいずれか一方を図示せぬ油圧アクチュエータ等の駆動手段により、固定側型板２へ接近させると、その一方の接近速度および接近タイミングに対応して、図１に示すように、リンク手段５を介し他方の板固定側取付け板３あるいは可動側型板４が固定側型板２に接近し、ついには固定側型板２に当接して型締めが行われることとなる。
【００２３】
従って、金型装置１全体の型締めスピードおよびタイミングは板固定側取付け板３あるいは可動側型板４のいずれか一方を駆動する油圧アクチュエータ等の駆動手段を制御することにより簡単に制御することができる。
【００２４】
即ち、固定側取付け板３あるいは可動側型板４のいずれか一方を駆動する油圧アクチュエータ等の駆動手段を制御し、それにより固定側取付け板３あるいは可動側型板４の一方の接近スピードにブレーキを掛ける制御を行うことにより他方の金型の接近スピードも同一のタイミングでブレーキ制御することができるから、両金型の移動タイミングミスが可及的に排除され、そのため両金型の移動タイミングスピードを早めて製品の形成サイクルを一層迅速にすることができることとなる。
【００２５】
【発明の効果】
以上説明したように、この発明の射出成形装置の金型装置では、固定側型板、固定側取付け板、可動側型板を、固定側型板を中心に固定側取付け板と可動側型板のうちいずれか一方を移動させると、他方が反対方向へ連動して移動するリンク手段を介してそれぞれ連結するようにしたから、金型を移動させるアクチュエータ等の移動手段は固定側取付け板と可動側型板のうちいずれか一方を移動させるアクチュエータのみでよく、そのため金型の移動部品の点数を削減し、その制御を簡単にすることができるだけでなく、固定側取付け板と可動側型板のうちいずれか一方の移動を制御すればよいから、双方の金型の移動タイミングミスが可及的に低減され、これにより固定側型板に対する固定側取付け板および可動側型板の移動タイミングが一層正確なものとなり、このため金型の衝突による損傷を可及的に防止するとともに、金型の移動スピードを早めて製品の成形サイクルを一層迅速なものとすることができる。
【図面の簡単な説明】
【図１】図１はこの発明に係わる射出成形装置の金型装置の概念側面図。
【図２】図２はこの発明に係わる金型装置の作用を示す概念側面図。
【符号の説明】
１…金型装置
２…固定側型板
３…固定側取付け板
４…可動側型板
５…リンク手段
１０、１２、１４、１６、１７…軸
１１…第１アーム
１３…第２アーム
１５…第３アーム
【図１】
2004174840.tif 000003
【図２】
2004174840.tif 000004
【手続補正書】
【提出日】平成14年11月29日(2002.11.29)
【手続補正１】
【補正対象書類名】図面
【補正対象項目名】全図
【補正方法】変更
【補正の内容】
【図１】
2004174840.tif 000005
【図２】
2004174840.tif 000006